(57)【要約】【課題】基台が壁掛金具から外れないようにして脱落することを未然に防ぐことができ、また、ねじ孔の位置が目視で容易に確認でき、規制ねじをねじ孔に螺合するときの作業性が向上する壁掛型扇風機を提供することを目的とする。【解決手段】合成樹脂製のスタンド３の裏面に付設した金属製の底板４からなる基台５の底板４に設けた挿入口６からスタンド３の上端面８に設けた押出口９に至る連通部１０と、連通部１０に嵌入される形状で基台５を着脱可能に固定する壁面７に設けた壁掛金具１１とを備え、壁掛金具１１の上端部１２に設けたねじ孔１３に、スタンド３の上方に近傍して規制ねじ１４を螺合可能に設けることにより、基台５が壁掛金具１１から脱落するのを防ぎ、また、ねじ孔１３の位置が目視でき、規制ねじ１４の螺合するときの作業性を向上できる壁掛型扇風機を得られる。【選択図】図１
2008128026.tif 000002
【特許請求の範囲】
【請求項１】
羽根を回転するモータと、このモータを枢支するように設けられる合成樹脂製のスタンドの裏面に金属製の底板を付設した基台と、この基台の底板に設けた挿入口から前記スタンドの壁面側の上端面に設けた押出口に至る連通部と、前記連通部に嵌入される形状で前記基台を着脱可能に固定する壁面に設けた壁掛金具とを備え、前記壁掛金具の上端部に設けたねじ孔に、前記スタンドの上方に近接して規制ねじを螺合可能に設けた壁掛型扇風機。
【請求項２】
壁掛金具の近傍の壁面に一端を固定した落下防止ワイヤーを設け、前記落下防止ワイヤーの他端を規制ねじで壁掛金具の上端部に固定した請求項１記載の壁掛型扇風機。
【請求項３】
落下防止ワイヤーに規制ねじを回動可能に保持する保持片を設けた請求項２記載の壁掛扇風機。
【請求項４】
スタンドの壁面側の上端面に設ける押出口を、スタンド端辺に設けた切欠部と底板との間に挟まれた状態で形成した請求項１または２記載の壁掛型扇風機。
【請求項５】
壁掛金具の先端部を略半円形状とした請求項１または２記載の壁掛型扇風機。
【請求項６】
スタンドの壁面側の上端面に設けた押出口を、スタンドの一部を貫通して形成した請求項１または２記載の壁掛型扇風機。
【請求項７】
スタンドに設けた押出口の上方に、壁掛金具の先端部を覆う保護部を前記スタンドと一体に形成した請求項１または４記載の壁掛型扇風機。
【請求項８】
壁掛金具を、幅寸法の小なる先端部と、幅寸法大なる挿入部と、壁面に固定される固定部から形成し、前記挿入部の上端辺をスタンドの押出口近傍の内壁面に当接可能に設けた請求項１または７記載の壁掛型扇風機。
【請求項９】
壁掛金具の固定部にピッチ大なる一対の第１の固定孔と、ピッチ小なる第２の固定孔を、同一中心線の対称位置にそれぞれ設けた請求項１または２記載の壁掛型扇風機。
【請求項１０】
第１の固定孔または第２の固定孔のいずれかとともに、３点支持するための第３の固定孔を、固定部の中心線上に設けた請求項９記載の壁掛型扇風機。
【請求項１１】
基台の連通部の上下寸法Ｈ１と、壁掛金具の先端部の突出寸法Ｈ２を合計した壁掛金具の嵌合必要寸法Ｈを、８ｃｍ〜１０ｃｍとした請求項１または２記載の壁掛型扇風機。
【発明の詳細な説明】
【技術分野】
【０００１】
本発明は、壁面に取付けられた壁掛金具に基台を取り付けて壁面に扇風機を掛ける壁掛型扇風機に関する。
【背景技術】
【０００２】
従来、この種の壁掛型扇風機の一例として取付金具と基台を固定ねじで固定する壁掛用扇風機が知られている（例えば、特許文献１参照）。
【０００３】
以下、その壁掛型扇風機について図１２を参照にしながら説明する。
【０００４】
図に示すように、電動機１０１の回転軸１０２には羽根１０３が設けられ、羽根１０３は保護網１０４に囲まれ、電動機１０１は受部材１０５に枢支され、受部材１０５は基台１０６には引掛用孔１０７が設けられ、ねじ１０８で壁に取付けられた取付金具１０９により取付けられ、基台１０６と取付金具１０９にはねじ孔１１０が設けられ、固定用ねじ１１１によりねじ締め固定されている。
【０００５】
また、この種の壁掛型扇風機の他の例として落下防止ワイヤーを設けた扇風機が知られている（例えば、特許文献２参照）。
【０００６】
以下、その壁掛型扇風機について図１３および図１４を参照しながら説明する。
【０００７】
図に示すように、壁面１１２に装着されたスタンド１１３にネックピース１１４を介して首振自在に装着された扇風機頭部１１５と、スタンド１１３に一端が連結された落下防止ワイヤー１１６の他端が係止されるとともに、壁面１１２に装着されたワイヤー係止部１１７とを設け、スタンド１１３に落下防止ワイヤー１１６およびワイヤー係止部１１７を内設するワイヤーカバー１１８を連設して構成する。
【特許文献１】実開昭６３−５２９９３号公報（第３ページ、第１図）
【特許文献２】特開平５−３２１８８０号公報（［０００８］図１、図３）
【発明の開示】
【発明が解決しようとする課題】
【０００８】
このような従来の壁掛用扇風機では、ドライバーを用いて目視できない状態でねじ１０８のねじ締め作業を行うため作業性が悪いという課題があり、作業性を向上することが要求されている。
【０００９】
また、他の従来の扇風機では、落下防止ワイヤー１１６のワイヤカバー１１８がスタンド１１３より突出しているので、スタンド１１３の取扱いが不便であり、スタンド１１３の樹脂成型の金型も大きくなりコストアップになるという課題があり、コスト低減を図ることが要求されている。
【００１０】
本発明は、このような従来の課題を解決するものであり、基台が壁掛金具から外れないようにして扇風機が脱落することを未然に防ぐことができ、また、ねじ孔の位置が目視で容易に確認でき、規制ねじをねじ孔に螺合するときの作業が向上するとともに、成型金型を簡単な構造にしてコストの低減を図ることのできる壁掛型扇風機を提供することを目的としている。
【課題を解決するための手段】
【００１１】
本発明の壁掛型扇風機は上記目的を達成するために、羽根を回転するモータと、このモータを枢支するように設けられる合成樹脂製のスタンドの裏面に金属製の底板を付設した基台と、この基台の底板に設けた挿入口から前記スタンドの裏面側の上端部に設けた押出口に至る連通部を設け、前記連通部に嵌入される形状で前記基台を着脱可能に固定する壁面に設けた壁掛金具とを備え、前記壁掛金具の上端部に設けたねじ孔に、前記スタンドの上方に近接して規制ねじを螺合可能に設けたものである。
【００１２】
この手段により、基台が壁掛金具から外れないようにして脱落することを未然に防ぐことができ、また、ねじ孔の位置が目視で容易に確認でき、規制ねじをねじ孔に螺合するときの作業性が向上できる壁掛型扇風機が得られる。
【００１３】
また、他の手段は、壁掛金具の近傍の壁面に一端を固定した落下防止ワイヤーを設け、前記落下防止ワイヤーの他端を規制ねじで壁掛金具の上端部に固定したものである。
【００１４】
この手段により、壁掛金具にねじ止め固定されたスタンドの落下も防ぐことができ、基台そのものが落下するのを防止することができる壁掛型扇風機が得られる。
【００１５】
また、他の手段は、落下防止ワイヤーに規制ねじを回動可能に保持する保持片を設けたものである。
【００１６】
この手段により、天井付近の不安定な場所で、落下防止ワイヤーを壁掛型金具へねじ締めする作業性が向上するとともに、落下防止ワイヤーと一体化しているので規制ねじの紛失を未然に防ぐことができる壁掛型扇風機が得られる。
【００１７】
また、他の手段は、スタンドの壁面側の上端部に設けた押出口を、スタンド端辺の切欠部と底板との間に挟まれて形成されたものである。
【００１８】
この手段により、スタンドの成型金型の抜き方向に切欠部が形成できるので成型金型を簡単な構造とすることができ、製造コストを低減することができる壁掛型扇風機が得られる。
【００１９】
また、他の手段は、壁掛金具の先端部を略半円形状としたものである。
【００２０】
この手段により、先端部を押出口から容易に突き出すことができる壁掛型扇風機が得られる。
【００２１】
また、他の手段は、スタンドの壁面側の上端部に設けた押出口を、スタンドの一部を貫通して形成したものである。
【００２２】
この手段により、重量物であるモータおよび羽根ガードの落下を防止できる壁掛型扇風機が得られる。
【００２３】
また、他の手段は、スタンドに設けた押出口の上方に、壁掛金具の先端部を覆う保護部を前記スタンドと一体に形成したものである。
【００２４】
この手段により、作業者の手先を傷つけない安全な構造とすることができ、また、スタンドの切欠部が変形しないように補強することができる壁掛型扇風機が得られる。
【００２５】
また、他の手段は、壁掛金具を、幅寸法の小なる先端部と、幅寸法大なる挿入部と、壁面に固定される固定部から形成し、前記挿入部の上端辺をスタンドの押出口近傍の内壁面に当接可能に設けたものである。
【００２６】
この手段により、ねじ孔位置をねじ締めの操作のしやすい適正な位置に保つことができ、また、保護部の破損防止や、規制ねじ貫通孔とねじ孔位置が重なる配置とすることができる壁掛型扇風機が得られる。
【００２７】
また、他の手段は、壁掛金具の固定部にピッチ大なる一対の第１の固定孔と、ピッチ小なる第２の固定孔を、同一中心線の対称位置にそれぞれ設けたものである。
【００２８】
この手段により、木枠のピッチに合わせた大小いずれかのピッチの固定孔を選択して取り付けることができる壁掛型扇風機が得られる。
【００２９】
また、他の手段は、第１の固定孔または第２の固定孔のいずれかとともに、３点支持するための第３の固定孔を、中心線上に設けたものである。
【００３０】
この手段により、３点支持の取付作業を２種類に標準化して、操作性を簡略化することができる壁掛型扇風機が得られる。
【００３１】
また、他の手段は、基台の連通部の上下寸法Ｈ１と、壁掛金具の上端部の突出寸法Ｈ２を合計した壁掛金具の嵌合必要寸法Ｈを、８ｃｍ〜１０ｃｍとしたものである。
【００３２】
この手段により、基台が壁掛金具に沿って浮いて外れる確率は極めて少なくなり、容易に脱落しない安全な構成の壁掛型扇風機が得られる。
【発明の効果】
【００３３】
本発明によれば、基台が壁掛金具から外れないようにして脱落することを未然に防ぐことができ、また、ねじ孔の位置が目視で容易に確認でき、規制ねじをねじ孔に螺合するときの作業性が向上するという効果のある壁掛型扇風機を提供できる。
【００３４】
また、壁掛金具にねじ止め固定されたスタンドの落下を防ぐことができるとともに、基台そのものが落下するのを防止することができるという効果のある壁掛型扇風機を提供できる。
【００３５】
また、天井付近の不安定な場所で、落下防止ワイヤーを壁掛金具へねじ締めする作業性が向上するとともに、落下防止ワイヤーと一体化しているので規制ねじの紛失を未然に防ぐことができるという効果のある壁掛扇風機を提供できる。
【００３６】
また、成型金型を簡単な構造とすることができ、製造コストを低減することができるという効果のある壁掛型扇風機を提供できる。
【００３７】
また、曲面に沿って正常な突き出し方向に軌道修正できるので、先端部を押出口から容易に突き出すことができるという効果のある壁掛型扇風機を提供できる。
【００３８】
また、重量物であるモータおよび羽根ガードの落下を防止することができるという効果のある壁掛型扇風機を提供できる。
【００３９】
また、規制ねじを締め付けるときに、作業者の手先を傷つけない安全な構造とすることができるという効果のある壁掛型扇風機を提供できる。
【００４０】
また、ねじ孔位置をねじ締め操作のしやすい適正な位置に保つことができ、また、保護部の破損防止や規制ねじ貫通孔とねじ孔位置が重なる配置とすることができるという効果のある壁掛型扇風機を提供できる。
【００４１】
また、木枠のピッチに合わせた大小いずれかのピッチの固定孔を選択して取り付けることができるという効果のある壁掛型扇風機を提供できる。
【００４２】
また、３点支持の取付作業を２種類に標準化して、操作性を簡略化することができるという効果のある壁掛型扇風機を提供できる。
【００４３】
また、基台が壁掛金具に沿って浮いて外れる確率は極めて少なくなり、容易に脱落しない安全な構成とすることができるという効果のある壁掛型扇風機を提供できる。
【発明を実施するための最良の形態】
【００４４】
本発明の請求項１記載の発明は、羽根を回転するモータと、このモータを枢支するように設けられる合成樹脂製のスタンドの裏面に金属製の底板を付設した基台と、この基台の底板に設けた挿入口から前記スタンドの壁面側の上端部に設けた押出口に至る連通部を設け、前記連通部に嵌入される形状で前記基台を着脱可能に固定する壁面に設けた壁掛金具とを備え、前記壁掛金具の上端に設けたねじ孔に、前記スタンドの上方に近接して規制ねじを螺合可能に設けたものであり、基台を下から上方向に突き上げられて基台が浮き上がるような場合でも、規制ねじにスタンドが当接して基台の上方への移動が規制され、基台が壁掛金具から外れないようにして脱落することを未然に防ぐことができ、また、壁掛金具の上端部をスタンドの壁面側の上端部に設けた押出口より突出しているので、壁掛金具の上端部に設けたねじ孔の位置が目視で容易に確認でき、規制ねじをねじ孔に螺合するときの作業性が向上するという作用を有する。
【００４５】
また、本発明の請求項２記載の発明は、壁掛金具の近傍の壁面に一端を固定した落下防止ワイヤーを設け、前記落下防止ワイヤーの他端を規制ねじで壁掛金具の上端部に固定したものであり、突き上げ落下対策用の規制ねじを利用して、壁掛金具が壁から外れた場合において、落下防止ワイヤーで基台の落下を防止する。すなわち、落下防止ワイヤーが壁掛金具に固定しているので壁掛金具にねじ止め固定されたスタンドの落下も防ぐことができ、基台そのものが落下するのを防止することができるという作用を有する。
【００４６】
また、本発明の請求項３記載の発明は、落下防止ワイヤーに規制にねじを回動可能に保持する保持片を設けたものであり、落下防止ワイヤーの一端を壁面に固定したあとに、他端を規制ねじで壁掛金具の上端部に固定するときに、弾力性のある落下防止ワイヤーから規制ねじが外れないように保持片で保持しているので、扇風機の使用者にとって、天井付近の不安定な場所で、落下防止ワイヤーを壁掛金具へねじ締めする作業性が向上するとともに、落下防止ワイヤーと一体化しているので、規制ねじの紛失を未然に防ぐことができるという作用を有する。
【００４７】
また、本発明の請求項４記載の発明は、スタンドの壁面側の上端部に設ける押出口を、スタンド端辺に設けた切欠部と底板との間に挟まれた状態で形成されたものであり、スタンドの成型金型の抜き方向に切欠部が形成できるので、成型金型を簡単な構造とすることができ、製造コストを低減することができるという作用を有する。
【００４８】
また、本発明の請求項５記載の発明は、壁掛金具の先端部を略半円形状としたものであり、壁掛金具の先端部を基台に設けた押出口から突き出させる場合に、先端部の形状が略半円であるため、先端部の一部が押出口の周辺に当接しても、曲面に沿って正常な突き出し方向に軌道修正できるので、先端部を押出口から容易に突き出すことができるという作用を有する。
【００４９】
また、本発明の請求項６記載の発明は、スタンドの壁面側の上端部に設けた押出口を、スタンドの一部を貫通して形成したものであり、押出口をスタンドの一部を貫通する開口とすることにより、壁掛金具がスタンドを貫通して取り付けられるため、底板がスタンドから外れるような異常状態となっても、スタンドと連結したモータおよび羽根ガードを落下防止ワイヤーで繋げて壁面側に保持できるので、重量物であるモータおよび羽根ガードの落下を防止できるという作用を有する。
【００５０】
また、本発明の請求項７記載の発明は、スタンドに設けた押出口の上方に、壁掛金具の先端部を覆う保持部を前記スタンドと一体に形成したものであり、壁掛金具の先端部の端面がスタンドの押出口から露出しないように保護部で覆うことにより、規制ねじを締め付けるときに、作業者の手先を傷つけない安全な構造とすることができ、また、スタンド端辺に切欠部を設けている場合は、スタンドの切欠部が変形しないように補強することができるという作用を有する。
【００５１】
また、本発明の請求項８記載の発明は、壁掛金具を、幅寸法の小なる先端部と、幅寸法大なる挿入部と、壁面に固定される固定部から形成し、前記挿入部の上端辺をスタンドの押出口近傍の内壁面に当接可能に設けたものであり、壁掛金具はねじ孔を有した先端部を、押出口を通して突き出しているが、壁掛金具の挿入部の上端辺をスタンドの押出口近傍の内壁面に当接可能とすることにより、先端部が押出口を通して突き出す最大寸法が決まるので、壁掛金具の先端部のねじ孔位置をねじ締め操作のしやすい適正な位置に保つことができ、また、壁掛金具の先端部が露出しないようにスタンドに保護部を設けている場合は、先端部と保護部の適正な位置関係を保ち、保護部の破損防止や規制ねじ貫通孔とねじ孔位置が重なる配置とすることができるという作用を有する。
【００５２】
また、本発明の請求項９記載の発明は、壁掛金具の固定部にピッチ大なる一対の第１の固定孔と、ピッチ小なる第２の固定孔を、同一中心線の対称位置にそれぞれ設けたものであり、壁掛金具のピッチ大なる第１の固定孔は、コンクリート壁に対応して、コンクリート壁に亀裂を生じない固定孔とするとともに、ピッチ小なる第２の固定孔は木造の柱に対応して柱の幅内に収まる固定孔とするとともに、裏面が細い木枠構造で構成された壁面に対しては、木枠のピッチに合わせた大小いずれかのピッチの固定孔を選択して取り付けることができるという作用を有する。
【００５３】
また、本発明の請求項１０記載の発明は、第１の固定孔または第２の固定孔のいずれかとともに、３点支持するための第３の固定孔を、中心線上に設けたものであり、壁掛金具が先端部と挿入部を延設する縦に長い形状であって、３点支持することにより上下方向への保持力を高めて固定することができるとともに、第３の固定孔を共通して使用できるので少ない孔数となり、３点支持の取付作業を２種類に標準化して、操作性を簡略化することができるという作用を有する。
【００５４】
また、本発明の請求項１１記載の発明は、基台の連通部の上下寸法Ｈ１と、壁掛金具の先端部の突出寸法Ｈ２を合計した壁掛金具の嵌合必要寸法Ｈを、８ｃｍ〜１０ｃｍとしたものであり、従来、一般に使用されていた嵌合寸法４ｃｍ前後に比べて２倍以上となり、規制ねじを締結せずに基台が取り付けられた場合でも、基台の上方向への突き上げに対して、基台が壁掛金具に沿って浮いて外れる確率は極めて少なくなり、容易に脱落しない安全な構成とすることができ、また、天井面との必要な間隔および取付作業を考慮して、嵌合必要寸法Ｈの上限値を１０ｃｍとしているという作用を有する。
【００５５】
以下、本発明の実施の形態について図面を参照しながら説明する。
【００５６】
（実施の形態１）
図１〜図４に示すように、羽根１を回転するモータ２を枢支するように基台５を設け、基台５は合成樹脂製のスタンド３の裏面に金属製の底板４を付設したものである。基台５内には底板４に設けた挿入口６からスタンド３の壁面７側の上端面８に設けた押出口９に至る連通部１０を設けている。壁面７に固定される壁掛金具１１は、基台５の連通部１０に嵌入される形状をなし、基台５を壁面７に着脱可能に固定している。壁掛金具１１の上端部１２にねじ孔１３を設け、スタンド３の上方に近接して規制ねじ１４をねじ孔１３に螺合可能に設けている。
【００５７】
また、壁掛金具１１の近傍の壁面７に一端を固定した落下防止ワイヤー１５を設け、落下防止ワイヤー１５の他端を規制ねじ１４で壁掛金具１１の上端部１２に固定するように設けている。さらに、落下防止ワイヤー１５の壁面７への固定位置を、基台５の裏側に位置して固定できるとともに、落下防止ワイヤー１５の他端に設けた規制ねじ１４を回動可能に保持する保持片１６を設けている。
【００５８】
また、スタンド３の壁面７側の上端面８に設ける押出口９は、スタンド３の端辺に設けた切欠部１７と底板４との間に挟まれた状態で形成され、壁掛金具１１の先端部１８を略半円形状に形成し構成する。
【００５９】
上記構成において、底板４の挿入口６からスタンド３の押出口９に至る連通部１０を設けているので、壁面７に設けた壁掛金具１１は連通部１０を貫通して基台５を着脱可能に固定することができる。このとき、壁掛金具１１の上端部１２に設けたねじ孔１３に規制ねじ１４を螺合することにより、スタンド３の上方に近接して規制ねじ１４の頭部が突出するので、基台５を下から上方向に突き上げられて基台５が浮き上がるような場合でも、規制ねじ１４にスタンド３が当接して基台５の上方への移動が規制され、基台５が壁掛金具１１から外れないようにして脱落することを未然に防ぐことができる。また、壁掛金具１１の上端部１２を、スタンド３の押出口９より突出しているので、壁掛金具１１上端部１２に設けたねじ孔１３の位置が目視で容易に確認でき、規制ねじ１４をねじ孔１３に螺合するときの作業性を向上することができることとなる。
【００６０】
また、壁掛金具１１の近傍の壁面７に一端を固定した落下防止ワイヤー１５を設け、落下防止ワイヤー１５の他端を規制ねじ１４で壁掛金具１１の上端部１２に固定したので、壁掛金具１１が壁面７から外れるような場合においても、落下防止ワイヤー１５で基台５の落下を防止することができる。すなわち落下防止ワイヤー１５が規制ねじ１４で壁掛金具１１に固定されているので、壁掛金具１１に貫通されて保持される基台５そのものが落下するのを防止することができる。また、落下防止ワイヤー１５の壁面７への固定位置を基台５の裏側に位置して固定することにより、落下防止ワイヤー１５を短くして基台５の裏側および上方の目立たない位置に固定できるため、安全性を高めつつ美観を損なわずに取り付けることができることとなる。
【００６１】
また、落下防止ワイヤー１５に規制ねじ１４を回動可能に保持する保持片１６を設けたので、落下防止ワイヤー１５に保持片１６で規制ねじ１４を保持することにより、落下防止ワイヤー１５の一端を壁面７に固定したあとに、他端を規制ねじ１４で壁掛金具の上端部１２に固定するときに、弾力性のある落下防止ワイヤー１５から規制ねじ１４が外れないように保持片１６で保持しているので、扇風機の使用者にとって、天井付近の不安定な場所で落下防止ワイヤー１５を壁掛金具１１へねじ締めする作業性が向上するとともに、落下防止ワイヤー１５と一体化しているので規制ねじ１４の紛失を未然に防ぐことができることとなる。
【００６２】
また、スタンド３の壁面７側の上端面８に設ける押出口９を、スタンド３端辺に設けた切欠部１７と底板４との間に挟まれた状態で形成することにより、スタンド３の端辺の切欠部１７と底板４との間に挟まれた開口を押出口９とすることができ、スタンド３の成型金型の抜き方向に切欠部１７が形成できるので、成型金型を簡単な構造とすることができ、製造コストを低減することができることとなる。
【００６３】
また、壁掛金具１１の先端部１８を略半円形状としたので、壁掛金具の先端部１８を基台５に設けた押出口９から突き出せる場合に、先端部１８の形状が略半円形であるため、先端部１８の一部が押出口９の周辺に当接しても、曲面に沿って正常な突き出し方向に軌道修正できるので、先端部１８を押出口９から容易に突き出すことができることとなる。
【００６４】
（実施の形態２）
図５および図６に示すように、スタンド３Ａの壁面７Ａ側の上端面８Ａに設けた押出口９Ａを、スタンド３Ａの上端面８Ａの一部を貫通して形成した構成とする。
【００６５】
上記構成において、押出口９Ａをスタンド３Ａの一部を貫通する開口とすることにより、壁掛金具１１がスタンド３Ａを貫通して取り付けられるため、底板４がスタンド３Ａから分離するような異常状態となっても、スタンド３Ａと連結したモータ２および羽根ガード１Ａを落下防止ワイヤー１５で繋げて壁面７Ａ側に吊り下げて保護できるので、重量物であるモータ２および羽根ガード１Ａの落下を防止することができることとなる。
【００６６】
（実施の形態３）
図７〜図９に示すように、スタンド３Ｂに設けた押出口９Ｂの上方に、壁掛金具１１Ａの先端部１８Ａを覆う保護部１９をスタンド３Ｂと一体に形成し、保護部１９に規制ねじ１４Ａが貫通する規制ねじ貫通孔２０を設け、壁掛金具１１Ａを、幅寸法の小なる先端部１８Ａと、幅寸法の大なる挿入部２１と、壁面（図示せず）に固定される固定部２２から形成し、挿入部２１の上端片２３をスタンド３Ｂの押出口９Ｂ近傍の内壁面２４に当接可能に設け構成する。
【００６７】
上記構成において、壁掛金具１１Ａの先端部１８Ａの端面がスタンド３Ｂの押出口９Ｂから露出しないように保護部１９で覆うことにより、規制ねじ１４Ａを締め付けるときに、作業者の手先を傷つけない安全な構造とすることができるとともに、スタンド３Ｂの端辺に切欠部１７を設けている場合は、スタンド３Ｂの切欠部１７が変形しないようにすることができる。また、保護部１９に規制ねじ１４Ａが貫通する規制ねじ貫通孔２０を設けることにより、底板４がスタンド３Ｂから脱落した場合でも、スタンド３Ｂは壁掛金具１１Ａと繋がった状態になり、スタンド３Ｂと連結しているモータ２および羽根ガード１Ａが落下するのを防止することができることとなる。
【００６８】
また、壁掛金具１１Ａを、幅寸法の小なる先端部１８Ａと、幅寸法の大なる挿入部２１と、壁面に固定される固定部２２から形成し、挿入部２１の上端片２３をスタンド３Ｂの押出口９Ｂ近傍の内壁面２４に当接可能に設けたので、壁掛金具１１Ａはねじ孔１３を有した先端部１８Ａを、押出口９Ｂを通して突き出しているが、壁掛金具１１Ａの挿入部２１の上端片２３をスタンド３Ｂの押出口９Ｂ近傍の内壁面２４に当接可能とすることにより、先端部１８Ａが押出口９Ｂを通して突き出す最大寸法が決まるので、壁掛金具１１Ａの先端部１８Ａのねじ孔１３位置をねじ締め操作のしやすい適正な位置に保つことができる。さらに、壁掛金具１１Ａの先端部１８Ａが露出しないようにスタンド３Ｂに保護部１９を設けている場合は、先端部１８Ａと保護部１９の適正な位置関係を保ち、保護部１９の破損防止や規制ねじ貫通孔２０とねじ孔１３の位置を重なる配置とすることができることとなる。
【００６９】
（実施の形態４）
図１０に示すように、壁掛金具１１Ｂの固定部２２Ａにピッチ大なる一対の第１の固定孔２５と、ピッチ小なる第２の固定孔２６を、同一の中心線２７の対称位置にそれぞれ設け、第１の固定孔２５または第２の固定孔２６のいずれかとともに、３点支持するための第３の固定孔２８を、中心線２７上に設け構成する。
【００７０】
上記構成においては、壁掛金具１１Ｂの固定部２２Ａにピッチ大なる一対の第１の固定孔２５とピッチ小なる第２の固定孔２６を同一の中心線２７の対称位置にそれぞれ設けたので、壁掛金具１１Ｂのピッチ大なる第１の固定孔２５は、コンクリート壁に対応して、コンクリート壁に亀裂を生じない固定孔とするとともに、ピッチ小なる第２の固定孔２６は木造の柱に対応して柱の幅内に収まる固定孔とするとともに、裏面が細い木枠構造で構成された壁面に対しては、木枠のピッチに合わせた大小いずれかのピッチの固定孔を選択して取り付けることができることとなる。
【００７１】
また、第１の固定孔２５または第２の固定孔２６のいずれかとともに、３点支持するための第３の固定孔２８を、中心線２７上に設けたので、壁掛金具１１Ｂが先端部１８Ａと挿入部２１を延設する縦に長い形状であり、３点支持することにより、上下方向への保持力を高めて固定することができるとともに、第３の固定孔２８を共通して使用できるので少ない孔数となり、３点支持の取付作業を２種類に標準化して、使用者にとって取付作業を容易にすることができることとなる。
【００７２】
（実施の形態５）
図１１に示すように、基台５Ａの連通部１０Ａの上下寸法Ｈ１と、壁掛金具１１Ｃの先端部１８Ｂの突出寸法Ｈ２を合計した壁掛金具１１Ｃの嵌合必要寸法Ｈを、８ｃｍ〜１０ｃｍとして構成する。
【００７３】
上記構成において、壁掛金具１１Ｃの嵌合必要寸法Ｈを８ｃｍ〜１０ｃｍに長くすることで、従来、一般に使用されていた嵌合寸法４ｃｍ前後に比べて２倍以上となり、規制ねじ１４を締結せずに基台５Ａが取り付けられた場合でも、基台５Ａの上方向への突き上げに対して、基台５Ａが壁掛金具１１Ｃに沿って浮いて外れる確率は極めて少なくなり、容易に脱落しない安全な構成とすることができる。また、天井面との必要な間隔および取付作業性を考慮して、嵌合必要寸法Ｈの上限値を１０ｃｍとすることにより、壁掛型扇風機の本体の上端部と天井面との距離が１０ｃｍ以上であれば、支障なく壁掛金具１１Ｃに取付できる寸法関係とすることができる。
【産業上の利用可能性】
【００７４】
本発明にかかる壁掛型扇風機は、基台が壁掛金具から外れないようにして脱落することを未然に防ぐことができ、また、ねじ孔の位置が目視で容易に確認でき、規制ねじをねじ孔に螺合するときの作業性が向上するという効果を有し、壁掛型扇風機等として有用である。
【図面の簡単な説明】
【００７５】
【図１】本発明の実施の形態１の壁掛型扇風機の壁掛構成を示す分解斜視図
【図２】同壁掛型扇風機の壁掛構成を示す基台部分の背面斜視図
【図３】同壁掛型扇風機の落下防止ワイヤーの構成を示す斜視図
【図４】同壁掛型扇風機を壁面に取り付けた状態を示す側面図
【図５】本発明の実施の形態２の壁掛型扇風機の押出口の構成を示す基台の背面斜視図
【図６】同壁掛型扇風機を壁面に取り付けた状態を示す側面図
【図７】本発明の実施の形態３の壁掛型扇風機の壁掛構成を示す基台部分の背面斜視図
【図８】同壁掛型扇風機の規制ねじ貫通孔を示す部分斜視図
【図９】同壁掛型扇風機の保護部と壁掛金具の関係を示す背面斜視図
【図１０】本発明の実施の形態４の壁掛型扇風機の固定部の状態を示す正面図
【図１１】本発明の実施の形態５の壁掛型扇風機の壁掛金具の必要寸法の説明図（（イ）嵌合時、（ロ）嵌合前）
【図１２】従来の壁掛用扇風機の取付状態を示す断面図
【図１３】同他の例の扇風機の側面図
【図１４】同扇風機の取付状態を示す取付断面図
【符号の説明】
【００７６】
１      羽根
２      モータ
３      スタンド
３Ａ    スタンド
３Ｂ    スタンド
４      底板
５      基台
５Ａ    基台
６      挿入口
７      壁面
７Ａ    壁面
８      上端面
８Ａ    上端面
９      押出口
９Ａ    押出口
９Ｂ    押出口
１０    連通部
１０Ａ  連通部
１１    壁掛金具
１１Ａ  壁掛金具
１１Ｂ  壁掛金具
１１Ｃ  壁掛金具
１２    上端部
１３    ねじ孔
１４    規制ねじ
１４Ａ  規制ねじ
１５    落下防止ワイヤー
１６    保持片
１７    切欠部
１８    先端部
１８Ａ  先端部
１８Ｂ  先端部
１９    保護部
２０    規制ねじ貫通孔
２１    挿入部
２２    固定部
２２Ａ  固定部
２３    上端片
２４    内壁面
２５    第１の固定孔
２６    第２の固定孔
２７    中心線
２８    第３の固定孔
【図１】
2008128026.tif 000003
【図２】
2008128026.tif 000004
【図３】
2008128026.tif 000005
【図４】
2008128026.tif 000006
【図５】
2008128026.tif 000007
【図６】
2008128026.tif 000008
【図７】
2008128026.tif 000009
【図８】
2008128026.tif 000010
【図９】
2008128026.tif 000011
【図１０】
2008128026.tif 000012
【図１１】
2008128026.tif 000013
【図１２】
2008128026.tif 000014
【図１３】
2008128026.tif 000015
【図１４】
2008128026.tif 000016